(57)【要約】【課題】優れた低音を再生でき、さらに重量を軽くできる持ち運び可能なスピーカ装置を提供する。【解決手段】  少なくとも一つの円筒形の共鳴管３０を有しており、前記共鳴管３０にはスピーカ４０が設けられており、前記スピーカ４０は前記共鳴管３０の一端に設置されており、さらに前記スピーカ４０には信号ケーブル５５が設けられている。【選択図】  図３ 
0003109687.tif 000002
【実用新案登録請求の範囲】
【請求項１】
少なくとも一つの円筒形の共鳴管を有しており、前記共鳴管にはスピーカが設けられており、前記スピーカは前記共鳴管の一端に設置されており、さらに前記スピーカには信号ケーブルが設けられていることを特徴とするスピーカ装置。
【請求項２】
前記円筒形の共鳴管内には、隔板が設けられており、前記隔板は前記共鳴管のおよそ中央部に設けられているのが好ましいことを特徴とする請求項１記載のスピーカ装置。
【請求項３】
さらに底座と、少なくとも一つの枠とが設けられており、
前記枠は、前記底座上に設置されており、さらに固定されており、さらに少なくとも一つの開孔部が設けられており、前記円筒形の共鳴管が挿設されていることを特徴とする請求項２記載のスピーカ装置。
【請求項４】
前記少なくとも一つの枠上には、さらに開孔部が設けられており、取手が前記開孔部内に挿設されており、ねじによって固定されており、前記スピーカ装置の持ち運びに便利になっていることを特徴とする請求項３記載のスピーカ装置。
【請求項５】
前記底座上には、さらにアンプ回路が設けられており、前記アンプ回路の一端は音声再生装置と接続されており、他端は前記複数の信号ケーブルによって前記スピーカに接続されており、前記音声再生装置からの信号を増幅させて前記スピーカから出力することができることを特徴とする請求項３記載のスピーカ装置。
【請求項６】
前記円筒形の共鳴管は、透明材料によるものが好ましいことを特徴とする請求項１記載のスピーカ装置。
【請求項７】
前記枠の数量は、二つが好ましく、二つの枠の間には間隔が設けられており、それぞれの枠には二つの開孔部が設けられていることを特徴とする請求項３記載のスピーカ装置。
【請求項８】
前記円筒形の共鳴管の数量は、二つが好ましく、それぞれ前記枠の二つの開孔部内に挿設されていることを特徴とする請求項７記載のスピーカ装置。
【請求項９】
前記スピーカは、前記円筒形の共鳴管の両端に設置されるのが好ましいことを特徴とする請求項１記載のスピーカ装置。
【請求項１０】
前記底座の下方には、さらに少なくとも一つの脚部が設けられていることを特徴とする請求項３記載のスピーカ装置。
【請求項１１】
前記枠の前方には、さらにレベルインジケータが設けられていることを特徴とする請求項３記載のスピーカ装置。
【請求項１２】
前記レベルインジケータは、ＬＥＤによって構成されているのが好ましいことを特徴とする請求項１１記載のスピーカ装置。
【請求項１３】
前記レベルインジケータは、ＣＯＢＬＥＤディスプレイが好ましいことを特徴とする請求項１２記載のスピーカ装置。
【請求項１４】
前記底座上には、さらに複数の信号端子と電源端子が設けられていることを特徴とする請求項３記載のスピーカ装置。
【請求項１５】
前記スピーカは、高音スピーカが好ましいことを特徴とする請求項１記載のスピーカ装置。
【請求項１６】
前記スピーカは、中低音スピーカが好ましいことを特徴とする請求項１記載のスピーカ装置。
【請求項１７】
前記円筒形の共鳴管の長さは、直径よりも長いことを特徴とする請求項１記載のスピーカ装置。
【考案の詳細な説明】
【技術分野】
【０００１】
本考案はスピーカ装置に関し、特に少なくとも一つの円筒形の共鳴管を有しており、前記円筒形の共鳴管によって優れた低音を再生でき、さらに重量を軽くできるスピーカ装置に関する。
【背景技術】
【０００２】
コンピュータマルチメディアの発達に伴い、通常コンピュータには二個の持ち運び可能なスピーカ装置が設置され、使用者はコンピュータからの音声を再生させる。図１は公知構造の小型スピーカ装置をコンピュータに接続した様子を示す斜視図であり、一般に持ち運び可能なスピーカ装置７０はスピーカ７１と、スピーカボックス７２とからなり、前記持ち運び可能なスピーカ装置７０は一般のケーブル７３（ＡＶケーブル）によってアンプ（またはコンピュータ８０）と接続され音声が再生される。しかしこの種の持ち運び可能なスピーカ装置７０は通常一つに一つのチャンネルしか再生できず、ステレオ音楽を再生する場合にはさらにもう一つの持ち運び可能なスピーカ装置７０を外接する必要があり、持ち運びに非常に不便である。
【０００３】
また特許文献１の実用新案においてはＵＳＢ携帯式アンプスピーカ装置を提供しており、図２は前記スピーカ装置をコンピュータに接続した様子を示す斜視図である。図に示すように前記ＵＳＢ携帯式アンプスピーカ装置９０の特徴は、前記スピーカ本体９１の電源線の端部にコンピュータ、またはノートパソコン１００のＵＳＢポート１０５と接続できるようにＵＳＢプラグ９２が設けられている点であり、ＵＳＢポート１０５から供給されるＤＣ５Ｖの電源により直接スピーカ本体９１に内臓されている低電圧駆動アンプが駆動され、コンピュータ、またはノートパソコン１００の音声信号がアンプによって増幅されて出力される。ただ前記考案の携帯式アンプスピーカにおいてはやはり二つの単独のスピーカが必要となり、それが欠点となっている。
【特許文献１】台湾実用新案公告第５１５６１９号
【考案の開示】
【考案が解決しようとする課題】
【０００４】
本考案の目的は、少なくとも一つの円筒形の共鳴管を有しており、前記円筒形の共鳴管により優れた低音を再生でき、さらに重量を軽くできる持ち運び可能なスピーカ装置を提供することである。
【課題を解決するための手段】
【０００５】
前記課題を解決するために、  
請求項１の考案は、少なくとも一つの円筒形の共鳴管を有しており、前記共鳴管にはスピーカが設けられており、前記スピーカは前記共鳴管の一端に設置されており、さらに前記スピーカには信号ケーブルが設けられていることを特徴とするスピーカ装置である。
【０００６】
請求項２の考案は、前記円筒形の共鳴管内には、隔板が設けられており、前記隔板は前記共鳴管のおよそ中央部に設けられているのが好ましいことを特徴とする請求項１記載のスピーカ装置である。
【０００７】
請求項３の考案は、さらに底座と、少なくとも一つの枠とが設けられており、前記枠は、前記底座上に設置されており、さらに固定されており、さらに少なくとも一つの開孔部が設けられており、前記円筒形の共鳴管が挿設されていることを特徴とする請求項２記載のスピーカ装置である。
【０００８】
請求項４の考案は、前記少なくとも一つの枠上には、さらに開孔部が設けられており、取手が前記開孔部内に挿設されており、ねじによって固定されており、前記スピーカ装置の持ち運びに便利になっていることを特徴とする請求項３記載のスピーカ装置である。
【０００９】
請求項５の考案は、前記底座上には、さらにアンプ回路が設けられており、前記アンプ回路の一端は音声再生装置と接続されており、他端は前記複数の信号ケーブルによって前記スピーカに接続されており、前記音声再生装置からの信号を増幅させて前記スピーカから出力することができることを特徴とする請求項３記載のスピーカ装置である。
【００１０】
請求項６の考案は、前記円筒形の共鳴管は、透明材料によるものが好ましいことを特徴とする請求項１記載のスピーカ装置である。
【００１１】
請求項７の考案は、前記枠の数量は、二つが好ましく、二つの枠の間には間隔が設けられており、それぞれの枠には二つの開孔部が設けられていることを特徴とする請求項３記載のスピーカ装置である。
【００１２】
請求項８の考案は、前記円筒形の共鳴管の数量は、二つが好ましく、それぞれ前記枠の二つの開孔部内に挿設されていることを特徴とする請求項７記載のスピーカ装置である。
【００１３】
請求項９の考案は、前記スピーカは、前記円筒形の共鳴管の両端に設置されるのが好ましいことを特徴とする請求項１記載のスピーカ装置である。
【００１４】
請求項１０の考案は、前記底座の下方には、さらに少なくとも一つの脚部が設けられていることを特徴とする請求項３記載のスピーカ装置である。
【００１５】
請求項１１の考案は、前記枠の前方には、さらにレベルインジケータが設けられていることを特徴とする請求項３記載のスピーカ装置である。
【００１６】
請求項１２の考案は、前記レベルインジケータは、ＬＥＤによって構成されているのが好ましいことを特徴とする請求項１１記載のスピーカ装置である。
【００１７】
請求項１３の考案は、前記レベルインジケータは、ＣＯＢＬＥＤディスプレイが好ましいことを特徴とする請求項１２記載のスピーカ装置である。
【００１８】
請求項１４の考案は、前記底座上には、さらに複数の信号端子と電源端子が設けられていることを特徴とする請求項３記載のスピーカ装置である。
【００１９】
請求項１５の考案は、前記スピーカは、高音スピーカが好ましいことを特徴とする請求項１記載のスピーカ装置である。
【００２０】
請求項１６の考案は、前記スピーカは、中低音スピーカが好ましいことを特徴とする請求項１記載のスピーカ装置である。
【００２１】
請求項１７の考案は、前記円筒形の共鳴管の長さは、直径よりも長いことを特徴とする請求項１記載のスピーカ装置である。
【考案の効果】
【００２２】
本考案の実施により、見た目に美しく、軽く、優れた低音を再生でき、コンピュータとの接続に便利な公知構造の欠点を解決したスピーカ装置を提供できた。
【考案を実施するための最良の形態】
【００２３】
図３は本考案によるスピーカ装置の第一の実施形態を示す斜視図であり、図３に示すように本考案のスピーカ装置は、少なくとも一つの円筒形の共鳴管３０を有しており、前記共鳴管には少なくとも一つのスピーカ４０が設けられており、前記スピーカ４０は前記共鳴管３０の一端に設置されており、さらに前記スピーカ４０には信号ケーブル５５が設けられている。前記円筒形の共鳴管３０の長さは直径よりも大きく、その目的はスピーカ４０の反射波が位相遅延しないようにすることと、スピーカ４０の低音を強化することである。前記円筒形の共鳴管３０は好適なものとしては透明材料、例えばアクリルによるものであるが、それに限らず、外観が美しいものが用いられる。本実施形態においては円筒形の共鳴管３０の両端にそれぞれスピーカ４０、４２が設置されており、それによりステレオサウンドを再生できるようになっている。前記円筒形の共鳴管３０の数量は二個以上にすることができ、高音、中音、低音などの各種周波数に分けて再生することができる。
【００２４】
図４は本考案によるスピーカ装置の第二の実施形態を示す斜視図であり、本実施形態においては、さらに底座１０と、少なくとも一つの枠２０と、取手６０とが設けられており、それにより持ち運び可能なスピーカ装置が構成されている。前記円筒形の共鳴管３０は好適なものとしては透明材料、例えばアクリルによるものであるが、それに限らず、外観が美しいものが用いられる。
【００２５】
前記底座１０の下方にはさらに少なくとも一つの脚部１１が設けることができ、前記持ち運び可能なスピーカを安定的に設置できるようになっており、前記底座１０の後方にはさらに複数の信号端子１２と電源端子１３が設けられており、前記複数の信号端子１２の好適なものとしてはＡＶ端子であり、音楽再生装置（図なし、例えばＣＤ再生装置）との接続に用いられ、前記電源端子１３は電源と接続されてそこから電源の供給がなされる。
【００２６】
本実施形態における前記少なくとも一つの枠２０は、好ましいものとして、二つの枠２０、２１が設けられており、二つの枠２０、２１の間に間隔Ｄが設けられており、それぞれの枠は前記底座１０上に設置されており、さらに固定することができ、前記枠２０には開孔部２２、２３が設けられており、前記枠２１にも開孔部２４、２５が設けられており、前記開孔部２２、２３、２４、２５の形状は例えば円形であるがそれに限らない。前記枠２０、２１の前方にはさらにレベルインジケータ２６を設けることができ、音声信号のレベル調整を行うことができるが、前記レベルインジケータ２６の好適なものとしてはＬＥＤによって構成されているものであり、ＣＯＢ（chip on board）ＬＥＤディスプレイが好ましい。
【００２７】
本実施形態における前記少なくとも一つの円筒形の共振管３０は、好ましいものとして、二つの円筒形の共振管３０、３１がそれぞれ前記開孔部２２、２３、２４、２５に挿設されており、それぞれ前記枠２０、２１に固定されており、円筒形の共鳴管３０の長所としてはスピーカ４０の反射波が位相遅延しないようにできることと、スピーカ４０の低音を強化できることである。このほか前記円筒形の共鳴管３０、３１内にはさらにそれぞれ隔板３２、３３が設けられており、前記隔板３２、３３の好適な位置は前記円筒形の共鳴管３０、３１のおよそ中央である。
【００２８】
本実施形態における前記少なくとも一つのスピーカ４０は、好ましいものとして、四つのスピーカ４０、４１、４２、４３が設けられており、前記スピーカ４０は左チャンネルの高音スピーカであり、スピーカ４１は左チャンネルの中低音スピーカであり、スピーカ４２は右チャンネルの高音スピーカであり、スピーカ４３は右チャンネルの中低音スピーカであり、前記高音スピーカ４０、４２はそれぞれ前記円筒形共鳴管３０の両側に設置されており、前記中低音スピーカ４１、４３はそれぞれ前記円筒形共鳴管３０の両側に設置されている。
【００２９】
このほか、本考案の前記底座１０上にはさらにアンプ回路５０と複数の信号端子１２が設けられており、前記アンプ回路５０の一端は音声再生装置（図なし、例えばコンピュータのＣＤ再生装置、または単独のＣＤ再生装置）と接続されており、他端は信号ケーブル５５によって前記スピーカ４０、４１、４２、４３と接続されており、前記音声再生装置からの音声信号は増幅された後、前記スピーカ４０、４１、４２、４３から再生される。
【００３０】
本考案の持ち運び可能なスピーカ装置は、さらに前記枠２０、２１上に開孔部２７、２８を設けることができ、前記開孔部２７、２８の好適な位置は前記開孔部２２、２３の上方であり、取手６０を前記開孔部２７、２８内に挿設し、さらにねじ（図なし）によって固定し、持ち運びに便利になっている。
【００３１】
上記詳細な説明は、本考案の好適な実施形態を示したものであり、本考案の技術に基づく当業者により容易になされる部分的な変更や修飾などは全て本考案の権利範囲に含まれる。
【図面の簡単な説明】
【００３２】
【図１】公知構造の小型スピーカ装置をコンピュータに接続した様子を示す斜視図である。
【図２】台湾実用新案公告第５１５６１９号のＵＳＢ携帯式アンプスピーカ装置をコンピュータに接続した様子を示す斜視図である。
【図３】本考案によるスピーカ装置の第一の実施形態を示す斜視図である。
【図４】本考案によるスピーカ装置の第二の実施形態を示す斜視図である。
【符号の説明】
【００３３】
１０  底座
１１  脚部
１２  信号端子
１３  電源端子
２０、２１  枠    
２２、２３、２４，２５  開孔部
２６  レベルインジケータ
２７、２８  開孔部
３０、３１  共鳴管
３２、３３  隔板
４０、４１、４２、４３  スピーカ
５０  アンプ回路
５５  信号ケーブル
６０  取手
７０  スピーカ装置
７１  スピーカ
７２  スピーカボックス
８０  コンピュータ
９０  ＵＳＢ携帯式アンプスピーカ装置
９１  スピーカ本体
９２  ＵＳＢプラグ
１００  ノートパソコン
１０５  ＵＳＢポート
Ｄ  間隔
【図１】
0003109687.tif 000003
【図２】
0003109687.tif 000004
【図３】
0003109687.tif 000005
【図４】
0003109687.tif 000006